(57)【要約】【課題】校正画像上の情報の欠落を最小限に留めつつも、画像情報として入力された筆記線の視認性を向上可能な校正情報処理装置、校正情報処理方法及びプログラムを提供する。【解決手段】取得された筆記位置７０毎の筆記色を、筆記位置７０に対応する校正画像１８上の表示色に基づいて決定する。入力された筆記線８４を、決定された複数の筆記色（色値Ｃ１及びＣ２）で、校正画像１８上に重ねて表示部１４に表示する。【選択図】図８
2012216096.tif 000002
【特許請求の範囲】
【請求項１】
校正画像を表示する表示部と、該表示部を介した筆記操作により前記校正画像に注釈情報を付与可能な筆記入力部とを有する校正情報処理装置であって、
前記筆記入力部により順次取得される筆記位置毎の筆記色を、前記筆記位置に対応する前記校正画像上の表示色に基づいてそれぞれ決定する筆記色決定部を有し、
前記筆記入力部により入力された筆記線を、前記筆記色決定部により決定された複数の筆記色で、前記校正画像上に重ねて前記表示部に表示する
ことを特徴とする校正情報処理装置。
【請求項２】
請求項１記載の校正情報処理装置において、
前記筆記色決定部は、前記表示色との色差が所定値を超えるように前記筆記色をそれぞれ決定することを特徴とする校正情報処理装置。
【請求項３】
請求項１又は２に記載の校正情報処理装置において、
前記複数の筆記色のうちの１色である基準色を決定する基準色決定部をさらに有し、
前記複数の筆記色はそれぞれ、前記基準色決定部により決定された前記基準色の略同系色である
ことを特徴とする校正情報処理装置。
【請求項４】
請求項１〜３のいずれか１項に記載の校正情報処理装置において、
前記筆記色決定部により決定される前記筆記色又は該筆記色の数を制限する筆記色制限部をさらに有することを特徴とする校正情報処理装置。
【請求項５】
請求項４記載の校正情報処理装置において、
前記筆記入力部からの入力情報に基づいて前記筆記線の始点を検出する始点検出部をさらに有し、
前記筆記色制限部は、前記始点検出部により検出された前記始点の周辺領域に対応する前記校正画像上の複数の表示色に基づいて、前記筆記色又は該筆記色の数を制限することを特徴とする校正情報処理装置。
【請求項６】
請求項５に記載の校正情報処理装置において、
前記筆記色制限部は、前記複数の表示色の分布において、所定の比率を超える色が、前記筆記色決定部により決定されないように前記筆記色を制限することを特徴とする校正情報処理装置。
【請求項７】
請求項１〜６のいずれか１項に記載の校正情報処理装置において、
前記筆記入力部により既に入力された前記筆記線を表示する場合、前記筆記入力の際に決定された前記複数の筆記色で、前記筆記線を表示することを特徴とする校正情報処理装置。
【請求項８】
校正画像を表示する表示部と、該表示部を介した筆記操作により前記校正画像に注釈情報を付与可能な筆記入力部とを有する装置を用いた校正情報処理方法であって、
前記筆記入力部により取得された筆記位置の筆記色を、前記筆記位置に対応する前記校正画像上の表示色に基づいて決定する決定ステップと、
前記校正画像上の前記筆記位置の色を、決定された筆記色で表示する表示ステップと
を備え、
前記決定ステップ及び前記表示ステップを順次繰り返し、入力された筆記線を、複数の筆記色で、前記校正画像上に重ねて前記表示部に表示する
ことを特徴とする校正情報処理方法。
【請求項９】
校正画像を表示する表示部と、該表示部を介した筆記操作により前記校正画像に注釈情報を付与可能な筆記入力部とを有する装置を、
前記筆記入力部により順次取得される筆記位置毎の筆記色を、前記筆記位置に対応する前記校正画像上の表示色に基づいてそれぞれ決定する筆記色決定部として機能させ、
前記筆記入力部により入力された筆記線を、前記筆記色決定部により決定された複数の筆記色で、前記校正画像上に重ねて前記表示部に表示させることを特徴とするプログラム。
【発明の詳細な説明】
【技術分野】
【０００１】
この発明は、校正画像を表示する表示部と、該表示部を介した筆記操作により前記校正画像に注釈情報を付与可能な筆記入力部とを有する校正情報処理装置、並びにこの装置を用いた校正情報処理方法及びプログラムに関する。
【背景技術】
【０００２】
近時、印刷分野において、印刷会社等の製作側で作成された校正データや、発注会社等の出版企画側での修正指示情報を、地理的に離れた各担当者に通信回線を経由して送受信することで、色校正紙の遣り取りを省略するリモートプルーフを実現する電子校正システムが普及しつつある。そして、この電子校正システムに、表示部及びタッチパネルを組み込んだ携帯可能な情報処理装置を導入することで、一層の利便性が図られるものと期待される。例えば、筆記文字の視認性を向上するための技術が種々提案されている。
【０００３】
特許文献１には、電子ペンを用いた筆記入力の際、校正画像上の筆記箇所を着色すると同時に、その輪郭部分に無色透明な色縁（透明縁）を付加して表示する方法が開示されている。これにより、文字や写真等を含む編集情報を明瞭に視認できる旨が記載されている。
【先行技術文献】
【特許文献】
【０００４】
【特許文献１】特開２００８−８４０４５号公報（段落［００８１］〜［００９０］、図１４参照）
【発明の概要】
【発明が解決しようとする課題】
【０００５】
ところで、校正画像に含まれるコンテンツやその配置は多種多様であり、且つ、校正画像の修正箇所は複数の位置に無作為に発生するため、例えば、文字情報が密集する箇所近傍に筆記せざるを得ない場合がある。しかしながら、特許文献１に記載の方法では、校正画像の一部を無色透明に変更することで、文字情報が欠落する場合がある。その結果、筆記文字の移動や再入力等の無駄な工数が発生し、校正作業の効率が必ずしも向上しないという問題が顕在化する。
【０００６】
とはいえ、上記した透明縁を付加しない表示形態では、指定された筆記色が、その筆記位置に対応する校正画像の表示色に略一致する場合、ユーザは、筆記文字を分離・視認できないという問題がなおも残存する。
【０００７】
本発明は上記した問題を解決するためになされたもので、校正画像上の情報の欠落を最小限に留めつつも、画像情報として入力された筆記線の視認性を向上可能な校正情報処理装置、校正情報処理方法及びプログラムを提供することを目的とする。
【課題を解決するための手段】
【０００８】
本発明に係る校正情報処理装置は、校正画像を表示する表示部と、該表示部を介した筆記操作により前記校正画像に注釈情報を付与可能な筆記入力部とを有する装置に関する。
【０００９】
前記筆記入力部により順次取得される筆記位置毎の筆記色を、前記筆記位置に対応する前記校正画像上の表示色に基づいてそれぞれ決定する筆記色決定部を有し、前記筆記入力部により入力された筆記線を、前記筆記色決定部により決定された複数の筆記色で、前記校正画像上に重ねて前記表示部に表示することを特徴とする。
【００１０】
このように、筆記入力部により順次取得される筆記位置毎の筆記色を、前記筆記位置に対応する校正画像上の表示色に基づいてそれぞれ決定するので、校正画像と分離・認識可能な筆跡の色をそれぞれ選択できる。そして、入力された筆記線を、決定された複数の筆記色で、前記校正画像上に重ねて表示部に表示するようにしたので、校正画像に対して、筆記線との境界を強調するための別異の色処理を施す必要がない。これにより、校正画像上の情報の欠落を最小限に留めつつも、画像情報として入力された筆記線の視認性を向上できる。
【００１１】
また、前記筆記色決定部は、前記表示色との色差が所定値を超えるように前記筆記色をそれぞれ決定することが好ましい。
【００１２】
さらに、前記複数の筆記色のうちの１色である基準色を決定する基準色決定部をさらに有し、前記複数の筆記色はそれぞれ、前記基準色決定部により決定された前記基準色の略同系色であることが好ましい。
【００１３】
さらに、前記筆記色決定部により決定される前記筆記色又は該筆記色の数を制限する筆記色制限部をさらに有することが好ましい。
【００１４】
さらに、前記筆記入力部からの入力情報に基づいて前記筆記線の始点を検出する始点検出部をさらに有し、前記筆記色制限部は、前記始点検出部により検出された前記始点の周辺領域に対応する前記校正画像上の複数の表示色に基づいて、前記筆記色又は該筆記色の数を制限することが好ましい。
【００１５】
さらに、前記筆記色制限部は、前記複数の表示色の分布において、所定の比率を超える色が、前記筆記色決定部により決定されないように前記筆記色を制限することが好ましい。
【００１６】
さらに、前記筆記入力部により既に入力された前記筆記線を表示する場合、前記筆記入力の際に決定された前記複数の筆記色で、前記筆記線を表示することが好ましい。
【００１７】
本発明に係る校正情報処理方法は、校正画像を表示する表示部と、該表示部を介した筆記操作により前記校正画像に注釈情報を付与可能な筆記入力部とを有する装置を用いた方法であって、前記筆記入力部により取得された筆記位置の筆記色を、前記筆記位置に対応する前記校正画像上の表示色に基づいて決定する決定ステップと、前記校正画像上の前記筆記位置の色を、決定された筆記色で表示する表示ステップとを備え、前記決定ステップ及び前記表示ステップを順次繰り返し、入力された筆記線を、複数の筆記色で、前記校正画像上に重ねて前記表示部に表示することを特徴とする。
【００１８】
本発明に係るプログラムは、校正画像を表示する表示部と、該表示部を介した筆記操作により前記校正画像に注釈情報を付与可能な筆記入力部とを有する装置を、前記筆記入力部により順次取得される筆記位置毎の筆記色を、前記筆記位置に対応する前記校正画像上の表示色に基づいてそれぞれ決定する筆記色決定部として機能させ、前記筆記入力部により入力された筆記線を、前記筆記色決定部により決定された複数の筆記色で、前記校正画像上に重ねて前記表示部に表示させることを特徴とする。
【発明の効果】
【００１９】
本発明に係る校正情報処理装置、校正情報処理方法及びプログラムによれば、筆記入力部により順次取得される筆記位置毎の筆記色を、前記筆記位置に対応する校正画像上の表示色に基づいてそれぞれ決定するので、校正画像と分離・認識可能な筆跡の色をそれぞれ選択できる。そして、入力された筆記線を、決定された複数の筆記色で、前記校正画像上に重ねて表示部に表示するようにしたので、校正画像に対して、筆記線との境界を強調するための別異の色処理を施す必要がない。これにより、校正画像上の情報の欠落を最小限に留めつつも、画像情報として入力された筆記線の視認性を向上できる。
【図面の簡単な説明】
【００２０】
【図１】本実施の形態に係る校正情報処理装置の正面図である。
【図２】図１に示す校正情報処理装置の機能ブロック図である。
【図３】図１に示す校正情報処理装置の動作説明に供されるフローチャートである。
【図４】図２に示す筆記色制限部による筆記色の制限方法を説明する概略図である。
【図５】図５Ａ及び図５Ｂは、筆記色制限部による筆記色の制限例を表す概略説明図である。
【図６】図６Ａは、筆記位置（始点）における筆記色の決定例を表す概略説明図である。図６Ｂは、筆記位置（始点）を着色した結果を表す概略説明図である。
【図７】図７Ａは、校正画像に対して注釈情報を付与する際の画面遷移を表す概略説明図である。図７Ｂは、第１境界部を跨いだ筆記位置における筆記色の決定例を表す概略説明図である。
【図８】図８Ａ及び図８Ｂは、校正画像に対して注釈情報を付与する際の画面遷移を表す概略説明図である。
【発明を実施するための形態】
【００２１】
以下、本発明に係る校正情報処理方法についてこれを実施する校正情報処理装置との関係において好適な実施形態を挙げ、添付の図面を参照して説明する。
【００２２】
図１は、本実施の形態に係る校正情報処理装置１０の正面図である。
【００２３】
校正情報処理装置１０は、概略矩形状の本体部１２と、本体部１２の一面に設けられ且つ該一面の略全体を占める面積を有する表示部１４と、表示部１４との接触部位（形状は、点、線、又は領域のいずれであってもよい。）を順次検出することで筆記入力する筆記入力部１５（図２参照）とを備えている。表示部１４の表示画面１６上には、校正画像１８（本図では、正面視の女性の顔画像）が表示されている。そして、表示画面１６の左下隅部には、校正画像１８に重畳して、アイコン２０が表示されている。このアイコン２０は、タッチの回数に応じて編集モードを切り替える第１アイコン２２と、筆記モード・消しゴムモードに切り替える第２アイコン２４と、校正作業の終了・設定の保存を指示する第３アイコン２６とから構成される。例えば、ユーザによる所定の操作、例えば、第１アイコン２２を所定の回数だけタッチすることで、注釈モードが選択される。また、第２アイコン２４を所定の回数だけタッチすることで、筆記モードが選択される。
【００２４】
ところで、この校正情報処理装置１０を用いて校正作業を行う場合、校正画像１８全体が見渡せるように、表示部１４（表示画面１６）は、例えばＢ５〜Ａ４サイズ相当の大面積を有することが望ましい。そして、迅速且つ効率的に作業するため、ユーザは、利き手（例えば、右手Ｒｈ）のみならず、両手（右手Ｒｈ及び左手Ｌｈ）を用いて作業する場合がある。すなわち、ユーザは、利き手である右手Ｒｈでタッチペン２８を把持し、タッチペン２８の先端部で表示画面１６上をなぞって筆記入力する。一方、ユーザは、左手Ｌｈの指先３０でアイコン２０を適宜タッチし、筆記モード・消しゴムモード等の各種モードを切り替える。
【００２５】
図２は、図１に示す校正情報処理装置１０の機能ブロック図である。ここで、ＣＰＵ等からなる制御部（不図示）は、ＲＯＭ、ＲＡＭ等の記録媒体（不図示）からプログラムを読み出し実行することで、これらの機能を実現可能である。
【００２６】
本体部１２は、外部装置からの電気信号を送受信する通信部３２と、通信部３２から受信された校正データ（校正画像１８を表す画像データ）に対して表示に適した各種信号処理を施す信号処理部３４と、信号処理部３４により信号処理された校正データから表示制御信号を生成し、表示部１４に画像（校正画像１８や注釈情報を含む。）を表示させる表示制御部３６と、筆記入力部１５からの筆記入力の特徴に基づいて筆記情報（各種モードの切り替え指示や、入力された注釈情報を含む。）を解釈する筆記情報解釈部３８と、筆記情報解釈部３８により解釈された筆記情報に応じた図形、記号、アイコン等の表示用画像を作成する画像作成部４０と、筆記情報解釈部３８により解釈された筆記情報等を格納するデータ格納部４２とを備える。
【００２７】
ここで、注釈情報には、文字、図形、記号、模様、色彩又はこれらを組み合わせた画像情報、ＡＳＣＩＩ等の文字コードを組み合わせたテキスト情報のみならず、音声情報、映像情報等が含まれる。
【００２８】
表示部１４は、表示制御部３６により生成された表示制御信号に基づいて画像（校正画像１８や注釈情報を含む。）を表示する。表示部１４は、カラー表示可能な表示モジュールであり、液晶パネル、有機ＥＬ（Electro-Luminescence）、無機ＥＬパネル等で構成されてもよい。
【００２９】
筆記入力部１５は、表示部１４を介して直接入力可能なタッチパネル検出器である。検出方式としては、抵抗膜方式、静電容量方式、赤外線方式、電磁誘導方式、静電結合方式等を含む種々の方式を用いてもよい。
【００３０】
信号処理部３４は、画像の拡縮処理、トリム処理、ガンマ変換処理、ＩＣＣプロファイルによるカラーマッチング処理、画像のエンコード処理・デコード処理等を含む信号処理を適宜行う。
【００３１】
筆記情報解釈部３８は、各種モードの切り換え指示、入力された注釈情報を解釈する機能の他、１つの筆記色としての基準色を決定する基準色決定部４４と、表示画面１６上の検出位置から現時点での筆記位置を取得する筆記位置取得部４６と、筆記線の始点を検出する始点検出部４８とを備える。
【００３２】
画像作成部４０は、筆記情報に応じた図形、記号、アイコン等の表示用画像を作成する機能の他、筆記位置取得部４６により取得された筆記位置毎の筆記色を決定する筆記色決定部５０と、筆記色決定部５０により決定される筆記色又は該筆記色の数（色数）を制限する筆記色制限部５２とを備える。
【００３３】
データ格納部４２は、ＲＡＭ等のメモリで構成されている。データ格納部４２は、校正画像１８を表す校正データを格納する校正画像格納部５４と、注釈情報データ及びその一時データを格納する注釈情報格納部５６とを備える。
【００３４】
本実施の形態に係る校正情報処理装置１０は以上のように構成される。続いて、校正情報処理装置１０の動作について、図３のフローチャート及び図２の機能ブロック図を主に参照しながら説明する。事前の準備として、校正情報処理装置１０は、通信部３２を介して、校正画像１８を表す校正データ及び校正画像１８に関する注釈情報データを予め受信し、データ格納部４２に一時的に格納しておく。
【００３５】
先ず、基準色決定部４４は、１つの筆記色としての基準色を決定する（ステップＳ１）。第１アイコン２２（図１参照）のタッチ操作に応じて注釈モードが選択された場合、図４に示すように、表示画面１６の右下隅部には、筆記入力での各種指示内容を選択可能である筆記メニュー６０が新たに配置される。そして、筆記メニュー６０のタッチ操作に応じて、基準色決定部４４は、基準色（例えば赤色）を決定する。
【００３６】
次いで、筆記情報解釈部３８は、筆記入力部１５からの入力情報の内容を監視し、筆記入力を開始したか否かを判別する（ステップＳ２）。具体的には、筆記情報解釈部３８は、アイコン２０及び筆記メニュー６０の配設位置を除くいずれかの位置が、注釈モードへの移行後初めて接触状態（オン）になったことを検知することで、開始のタイミングを判別可能である。開始していないと判別された場合、ステップＳ２に留まり、筆記入力の開始を受け付けるまで待機する。一方、開始したと判別された場合、次のステップＳ３に進む。
【００３７】
次いで、始点検出部４８は、筆記線の始点を検出する（ステップＳ３）。図４例では、表示画面１６上の略中央部の接触位置（破線状の円で囲んだ部位）を、始点６２として検出する。
【００３８】
次いで、筆記色制限部５２は、一連の筆記操作における筆記色及び色数を制限する（ステップＳ４）。筆記色及び色数の使用を無制限に許可すると、筆記線の端点（始点及び終点）の識別が困難となり、注釈情報を一見して把握できなくなるからである。以下、筆記色制限部５２による筆記色の制限方法について、図４〜図５Ｂを参照しながら説明する。
【００３９】
図４に示すように、筆記色制限部５２は、始点６２を中心とした周辺領域６４を画定し、周辺領域６４内の表示色のヒストグラム（色分布）を算出する。例えば、校正画像１８の被写体の女性が黄色人種である場合、周辺領域６４内において、境界線６６の上方（頭髪部）には黒色が多く分布し、下方（顔部）には略黄色の肌色が多く分布する。
【００４０】
筆記色制限部５２は、例えば、ヒストグラムの所定の比率（頻度）を超える色を除外してもよい。これにより、筆記色と校正画像１８上の表示色と近似する色を極力避けることができ、筆記線の視認性を確保できる。また、周辺領域６４は、筆記入力が想定される範囲であることが望ましく、そのサイズは、最大で、表示画面１６全体であってもよい。
【００４１】
図５Ａ及び図５Ｂは、筆記色制限部５２による筆記色の制限例を表す概略説明図である。
【００４２】
図５Ａ例では、ＲＧＢ色空間（デバイス依存色空間）上において、基準色として色値Ｃ１（２５５，０，０）が選択された場合、筆記色制限部５２は、色値Ｃ１の他、色値Ｃ２（１７０，０，０）、色値Ｃ３（８５，０，０）及び色値Ｃ４（０，０，０）の使用を許可するとともに、残余の色の使用を禁止（制限）する。ここで、色値Ｃ１〜Ｃ４は、Ｇ値及びＢ値は一定でありＲ値のみが異なる、同系色である。本明細書において、同系色は、色空間を表す複数のパラメータのうち、１つのパラメータのみを変更し、他のパラメータを固定した関係下にある色群を意味する。
【００４３】
図５Ｂ例では、Ｌ*ａ*ｂ*色空間（デバイス非依存色空間）上において、基準色として色値Ｃ１が選択された場合、筆記色制限部５２は、色値Ｃ１の他、色値Ｃ２及び色値Ｃ３の使用を許可するとともに、残余の色の使用を禁止（制限）する。ここで、色値Ｃ１〜Ｃ３は、ａ*値及びｂ*値、すなわち彩度及び色相は一定でありＬ*値（明度）のみが異なる、同系色である。
【００４４】
なお、筆記色の制限例は、図５Ａ及び図５Ｂに示される方法に限定されず、種々の方法を採り得る。このように、単一の筆記線の描画に使用される筆記色をいずれも同系色にすることで、ユーザ（観察者）にとって各色の関連性を認識できる。すなわち、複数の筆記色が使用されたとしても、ユーザは、一体の筆記内容であることを観念できる。
【００４５】
次いで、筆記色決定部５０は、筆記位置７０での筆記色を決定する（ステップＳ５）。第１回目のステップＳ５では、筆記位置７０は、筆記線の始点６２に相当する。以下、図５Ｂに示す３つの色値Ｃ１〜Ｃ３の中から筆記色を選択・決定する場合について説明する。
【００４６】
筆記色決定部５０は、始点検出部４８（又は筆記位置取得部４６）から取得した筆記位置７０と、校正画像格納部５４から取得した校正データとを用いて、筆記位置７０に対応する校正画像１８上の表示色（黄色に近い色値Ｄｆ）を取得する。
【００４７】
図６Ａに示すように、筆記色決定部５０は、筆記色の候補である色値Ｃ１〜Ｃ３のうち、色値Ｄｆとの色差が最大になる色値を１つ決定する。この場合、筆記色決定部５０は、色差（一点鎖線のパス長）が最大である色値Ｃ２を、筆記位置７０（始点６２）での筆記色として決定する。あるいは、色値Ｄｆとの色差が所定値を超えるように筆記色を決定してもよい。これにより、校正画像１８との色差が十分に確保できるので、視認による筆記線の分離・認識が容易になる。
【００４８】
次いで、表示制御部３６は、筆記位置７０での色を変更させた校正画像１８を表示部１４に表示させる（ステップＳ６）。画像作成部４０は、色値Ｃ２を有するドット画像を作成し、校正画像１８上の筆記位置７０（始点６２）に前記ドット画像を重ねて配置させる。
【００４９】
そうすると、図６Ｂに示すように、筆記位置７０（始点６２）には、色値Ｄｆに代替して、色値Ｃ２に相当する色が表示される。換言すれば、表示部１４には、色値Ｃ２のドットが上書き筆記された校正画像１８が表示される。
【００５０】
次いで、筆記情報解釈部３８は、直近の筆記位置７０を取得し、該筆記位置７０での接触状態がオンからオフに遷移したか否かを判別する（ステップＳ７）。遷移がないと判別された場合、ステップＳ７に留まり、接触状態の遷移を検出するまで待機する。一方、遷移があったと判別された場合、次のステップＳ８に進む。
【００５１】
次いで、筆記情報解釈部３８は、筆記入力部１５からの入力情報に基づいて、筆記入力を終了したか否かを判別する（ステップＳ８）。具体的には、筆記情報解釈部３８は、接触位置（接触状態がオンを表す位置）が変化した場合、筆記入力が完了していないと判別する。この場合、筆記位置取得部４６は、次の筆記位置７０を取得し（ステップＳ９）、ステップＳ５に戻って、以下、ステップＳ５〜Ｓ９を繰り返す。
【００５２】
このようにして、タッチペン２８を用いた筆記操作に追随して、表示部１４には、所定の色で上書き筆記された校正画像１８が表示される。
【００５３】
図７Ａに示すように、タッチペン２８の先端部で表示部１４をなぞると、色値Ｃ２の筆跡７２（シングルハッチングで表記する。）が形成される。これは、始点６２から境界線６６までのパス（顔部の領域内）では色値Ｄｆに近い表示色を有しており、ステップＳ５における筆記色の決定の際に色値Ｃ２が常に選択されるからである。
【００５４】
そして、境界線６６上の第１境界部７４を跨いだ直後の筆記位置７０（頭髪部）では、校正画像１８の表示色は、黒色に近い色値Ｄｈである。図７Ｂに示すように、筆記色決定部５０は、筆記色の候補である色値Ｃ１〜Ｃ３のうち、色値Ｄｈとの色差が最大になる色値Ｃ３を、筆記色として決定する（図３のステップＳ５参照）。あるいは、急激な筆記色の変化を抑制するため、色値Ｃ２に近い色である色値Ｃ１を選択してもよい。ここでは、筆記色として、色値Ｃ１に決定されたとする。
【００５５】
図８Ａに示すように、タッチペン２８の先端部で表示部１４をなぞると、色値Ｃ１の筆跡７６（ダブルハッチングで表記する。）が形成される。これは、第１境界部７４から境界線６６までのパス（頭髪部の領域内）では色値Ｄｈに近い表示色を有しており、ステップＳ５における筆記色の決定の際に色値Ｃ１が常に選択されるからである。
【００５６】
そして、境界線６６上の第２境界部７８を跨いだ直後の筆記位置７０（顔部）では、校正画像１８の表示色は、肌色に近い色値Ｄｆである。図６Ａと同様に、筆記色決定部５０は、筆記色の候補である色値Ｃ１〜Ｃ３のうち、色値Ｄｆとの色差が最大になる色値Ｃ２を、筆記色として決定する（図３のステップＳ５参照）。
【００５７】
図８Ｂに示すように、第２境界部７８から終点８０（タッチペン２８の先端部を表示部１４から離した位置）までの間に、色値Ｃ２である筆記色からなる筆跡８２（シングルハッチングで表記する。）が形成される。
【００５８】
ところで、図３のステップＳ８において、筆記情報解釈部３８は、表示画面１６上のすべての位置において非接触状態（オフ）である場合、筆記入力が完了したと判別する。すなわち、タッチペン２８の先端部を表示部１４から離した時点で、始点６２から終点８０までの筆記線８４の形状及び色彩が確定する。
【００５９】
なお、この筆記色の決定ルールは、一筆単位のみならず、所定の情報量単位（例えば、文字単位・画像情報単位等）に共通して適用してもよい。
【００６０】
最後に、注釈情報格納部５６は、筆記入力された画像情報（筆記線）を、注釈情報データとして格納する（ステップＳ１０）。そして、校正情報処理装置１０は、必要に応じて、注釈情報格納部５６に格納された注釈情報データを、通信部３２を介して外部装置側に送信する。
【００６１】
また、筆記入力部１５により既に入力された筆記線８４を表示する場合、この筆記入力の際に筆記色決定部５０により決定された複数の筆記色（色値Ｃ１及びＣ２）で、筆記線８４を表示してもよい。入力時の筆記色を再現して表示させることで、筆記入力したユーザは、違和感を覚えることがない。
【００６２】
以上のように、筆記入力部１５により順次取得される筆記位置７０毎の筆記色を、筆記位置７０に対応する校正画像１８上の表示色に基づいてそれぞれ決定するので、校正画像１８と分離・認識可能な筆跡７２、７６、８２の色をそれぞれ選択できる。そして、入力された筆記線８４を、決定された複数の筆記色（色値Ｃ１及びＣ２）で、校正画像１８上に重ねて表示部１４に表示するようにしたので、校正画像１８に対して、筆記線８４との境界を強調するための別異の色処理を施す必要がない。これにより、校正画像１８上の情報の欠落を最小限に留めつつも、画像情報として入力された筆記線８４の視認性を向上できる。
【００６３】
なお、この発明は、上述した実施形態に限定されるものではなく、この発明の主旨を逸脱しない範囲で自由に変更できることは勿論である。
【００６４】
例えば、本実施の形態に係る校正情報処理装置１０は、本体部１２、表示部１４及び入力部（筆記入力部１５）が一体に構成されているが、複数の機器で構成されても本発明を適用できることはいうまでもない。
【符号の説明】
【００６５】
１０…校正情報処理装置                    １２…本体部
１４…表示部                              １５…筆記入力部
１６…表示画面                            １８…校正画像
２０…アイコン                            ２８…タッチペン
３６…表示制御部                          ３８…筆記情報解釈部
４０…画像作成部                          ４２…データ格納部
４４…基準色決定部                        ４８…始点検出部
５０…筆記色決定部                        ５２…筆記色制限部
６２…始点                                ６４…周辺領域
７０…筆記位置                            ７２、７６、８２…筆跡
８０…終点                                ８４…筆記線
【図１】
2012216096.tif 000003
【図２】
2012216096.tif 000004
【図３】
2012216096.tif 000005
【図４】
2012216096.tif 000006
【図５】
2012216096.tif 000007
【図６】
2012216096.tif 000008
【図７】
2012216096.tif 000009
【図８】
2012216096.tif 000010